(57)【特許請求の範囲】
【請求項１】
プレート状の材料に複数のパンチ孔を開設するため多数のパンチを有してフレームに昇降自在に配置されたパンチングユニットと、該パンチングユニットに相対向するように該材料の下部に位置するレシービングユニットとから成り、前記パンチングユニットのカード挿入孔に、矩形状のカード本体と、該カード本体に設けられた多数の差込孔とを有し、該差込孔が全品番に共通するように配置されている品番指定カードを着脱自在に挿着し、該品番指定カードの指示に対応する前記パンチにより任意のパンチ孔パターンを前記材料に形成することを特徴とするパンチ孔パターンのワンタッチ式切替装置。
【請求項２】
前記差込孔が前記カード本体の片面に形成された配置溝の溝底壁に設けられ、前記差込孔のうち一部又は全部に挿脱自在に複数のピン状の駒部材を挿入し、前記パンチ孔パターンに対応するように該差込孔を塞ぐことで、前記パンチングユニットの下降時に前記パンチ孔を開設する該パンチが該駒部材によって前記材料に押圧されると共に、前記パンチ孔を開設しない該パンチが該材料に押圧されて開状態の該差込孔から突出することを特徴とする請求項１記載のパンチ孔パターンのワンタッチ式切替装置。
【請求項３】
前記配置溝の深さと前記駒部材の頭部の長さとが略等しく、かつ前記差込孔に挿入される駒部材の挿入部の距離と該差込孔の距離とが略等しいことを特徴とする請求項１又は２記載のパンチ孔パターンのワンタッチ式切替装置。
【請求項４】
パンチ孔を開設するプレート状の材料をレシービングユニットに配置し、開設された多数の差込孔に複数のピン状の駒部材が挿脱自在に挿入されることでパンチ孔パターンを指示する品番指定カードを着脱自在に該パンチングユニット内に挿着し、多数のパンチを具備する昇降自在なパンチングユニットを該材料の上方から下降させ、該品番指定カードのワンタッチ交換で該材料に任意の該パンチ孔パターンを形成することを特徴とするパンチ孔パターンのワンタッチ式切替方法。
【発明の詳細な説明】
【０００１】
【発明の属する技術分野】
本発明は、コネクタ部品を製造する際に使用されるパンチ孔パターンのワンタッチ式切替装置及びその切替方法に関するものである。
【０００２】
【従来の技術】
従来、コネクタ部品を製造する際にはプレート状の材料にパンチ孔を開設する必要があった。
そこで、図１０に示すように、材料８１の上方からパンチ８２を下降させると同時に、材料８１の下方からパンチ８２に対するダイ８３を上昇させることで、材料８１にパンチ孔８４を形成するパンチング装置８０が提案されている。
【０００３】
しかしながら、一回の上下移動により一つのパンチ孔８４しか形成できないので、複数のパンチ孔８４を開設するのに時間がかかった。また、パンチング装置８０自身が高価なため、材料８１にパンチ孔８４を形成するのに要するコストが高い欠点があった。
【０００４】
複数のパンチ孔８４を短時間で形成するために、図１１の如くに、コネクタ部品（図示せず）の品番に対応する専用の金型８５を予め製造し、材料８１をプレート状のダイ８６に配置すると共に、金型８５をダイプレート８７に固着し、ダイプレート８７を材料８１へ向けて下降させるパンチング装置８０′が提案されている。この装置を利用することで、一回の上下移動で複数のパンチ孔８４を形成することができる。
【０００５】
しかしながら、多種類の品番（パンチ孔パターン）に対応するためには、予め多種類の品番に対応した多種類の金型８５が必要であると共に、金型８５交換の作業時間が長い欠点があった。
【０００６】
【発明が解決しようとする課題】
本発明は上記した点に鑑み、多種類の品番に短時間（ワンタッチ）で交換できるパンチ孔パターンのワンタッチ式切替装置及びその切替方法を提供することを目的とする。
【０００７】
【課題を解決するための手段】
上記目的を達成するために、本発明は、プレート状の材料に複数のパンチ孔を開設するため多数のパンチを有してフレームに昇降自在に配置されたパンチングユニットと、該パンチングユニットに相対向するように該材料の下部に位置するレシービングユニットとから成り、前記パンチングユニットのカード挿入孔に、矩形状のカード本体と、該カード本体に設けられた多数の差込孔とを有し、該差込孔が全品番に共通するように配置されている品番指定カードを着脱自在に挿着し、該品番指定カードの指示に対応する前記パンチにより任意のパンチ孔パターンを前記材料に形成することを特徴とする（請求項１）。
前記差込孔が前記カード本体の片面に形成された配置溝の溝底壁に設けられ、前記差込孔のうち一部又は全部に挿脱自在に複数のピン状の駒部材を挿入し、前記パンチ孔パターンに対応するように該差込孔を塞ぐことで、前記パンチングユニットの下降時に前記パンチ孔を開設する該パンチが該駒部材によって前記材料に押圧されると共に、前記パンチ孔を開設しない該パンチが該材料に押圧されて開状態の該差込孔から突出することを特徴とする（請求項２）。
前記配置溝の深さと前記駒部材の頭部の長さとが略等しく、かつ前記差込孔に挿入される駒部材の挿入部の距離と該差込孔の距離とが略等しいことを特徴とする（請求項３）。
パンチ孔を開設するプレート状の材料をレシービングユニットに配置し、開設された多数の差込孔に複数のピン状の駒部材が挿脱自在に挿入されることでパンチ孔パターンを指示する品番指定カードを着脱自在に該パンチングユニット内に挿着し、多数のパンチを具備する昇降自在なパンチングユニットを該材料の上方から下降させ、該品番指定カードのワンタッチ交換で該材料に任意の該パンチ孔パターンを形成することを特徴とする（請求項４）。
【０００８】
【発明の実施の形態】
以下、本発明の実施の形態の具体例を、図面を参照して説明する。
図１〜図９は本発明に係るパンチ孔パターンのワンタッチ式切替装置の一実施例を示すものである。
【０００９】
図１において、このパンチ孔パターンのワンタッチ式切替装置１は、材料２に複数のパンチ孔３を形成する多数のパンチ１１を有し、フレーム４に昇降自在に配置されたパンチングユニット１０と、パンチングユニット１０に相対向して材料２を載せるレシービングユニット３０とから成り、パンチングユニット１０にカード挿入孔１２を形成すると共に、カード挿入孔１２に品番指定カード（以下、指定カードという）４０を着脱自在に挿着し、指定カード４０の指示に対応するパンチ１１で任意のパンチ孔パターンを材料２に形成する装置である。
【００１０】
コネクタ部品に使用される材料はプレート状又は蓋状に形成されている。
パンチングユニット１０は、フレーム４の上部に昇降自在に配置された金型１３と、金型１３の下部に固着されたホルダプレート１４と、ホルダプレート１４の下方に一対のガイド１５，１５を介して配置されたストリッパプレート１６と、ホルダプレート１４とストリッパプレート１６との間に位置してストリッパプレート１６を下方へ付勢する一対のバネ部材１７，１７，と、ホルダプレート１４及びストリッパプレート１６を昇降自在に移動する多数の円筒状のパンチ１１とから成る。
【００１１】
金型１３は断面逆Ｕ字状に形成され、ホルダプレート１４は金型１３より小さい断面Ｕ字状に形成されている。金型１３とホルダプレート１４とを組み付けることで両者の間には空間１８が形成される。金型１３の空間１８側の面には支持プレート１９が固着され、該面と支持プレート１９の内面１９ａとの間にはカード挿入孔１２が形成されている。カード挿入孔１２の両側で支持プレート１９の内面１９ａには指定カード４０を内部へ案内するため一対のレール２０，２０が載置されている。
【００１２】
ストリッパプレート１６の下部かつ中央には材料２に突き当たる当接プレート２１が連成され、両側には一対のガイド１５，１５を挿通するためのガイド孔１６ａが形成されている。ガイド１５及びバネ部材１７は金型１３の昇降方向（Ｕ方向及びＤ方向）と同方向に配置されている。ガイド１５の下端にはストッパ２２が固着されている。
【００１３】
支持プレート１９には第一貫通孔１９ａが形成され、かつストリッパプレート１６及び当接プレート２１には第二貫通孔１６ｂが開設されている。そして、ホルダプレート１４にはパンチホルダ２３を固定するためのホルダ孔１４ａが設けられている。これにより、パンチ１１は第一貫通孔１９ａ、空間１８、パンチホルダ２３及び第二貫通孔１６ｂ内をＵ方向及びＤ方向へ移動する。なお、２４はシャンクである。
【００１４】
図２及び図３に示す如くに、パンチングユニット１０のカード挿入孔１２に挿着する指定カード４０は、矩形状のカード本体４１と、カード本体４１の一端部で上面４１ａに形成された配置溝４２と、配置溝４２の溝底壁４２ａに設けられた多数の差込孔４３と、カード本体４１の他端部に開口４４を設けることによって形成された操作部４５とを有する。配置溝４２は矩形状に形成されている。差込孔４３は全てのパンチ孔パターンに対応可能な位置に形成されている。なお、本実施例では差込孔４３が四十個である。カード本体４１の下面４１ｂで長手方向の両側にはレール２０に対する一対のスライド溝４６，４６が形成されている。
【００１５】
図４に示すように、指定カード４０の差込孔４３にはピン状（断面Ｔ字状）に形成された複数の駒部材５０が挿入される。駒部材５０は、図４及び図５のように、配置溝４２に載る頭部５１と、頭部５１に連成されて差込孔４３に挿入される挿入部５２とから成る。頭部５１の長さＨは配置溝４２の深さｈと略同一であり（Ｈ≒ｈ）、かつ挿入部５２の距離Ｇは差込孔４３の距離ｇと略同じである（Ｇ≒ｇ）。
【００１６】
また、差込孔４３に駒部材５０を挿入すると、駒部材５０の頭部５１の天上面５１ａとカード本体４１の上面４１ａとが同一面になり、駒部材５０の挿入部５２の底面５２ａとカード本体４１の下面４１ｂとが同一面になる。そして、頭部５１が配置溝４２の溝底壁４２ａに載った状態で挿入部５２が差込孔４３内に位置する。そのため、差込孔４３への駒部材５０の着脱が容易である。更に、差込孔４３内へ挿入された駒部材５０がカード本体４１の上下面４１ａ，４１ｂから突出しないから、図１の如くに、カード挿入孔１２への指定カード４０の挿入時に駒部材５０と金型１３とが干渉しない。
【００１７】
図１に戻って、レシービングユニット３０は、材料２を載せるダイ３１と、ダイ３１に一体的に設けられた固定台３２と、固定台３２の両側に配置されてガイド１５のストッパ２２に対する支柱３３とから成る。ダイ３１にはパンチ１１を挿通するため多数の逃げ孔３４が形成されている。逃げ孔３４は全てのパンチ孔パターンに対応するように配置されている。そして、逃げ孔３４の内径Ｒはパンチ１１の外径ｒよりも少し大きく設定されている（Ｒ＞ｒ）。
【００１８】
次に、図１に示すように、コネクタ部品の品番に対応する指定カード４０をカード挿入孔１２に挿着し、材料２にパンチ孔３を開設する場合を説明する。
例えば、図６及び図７のように、指定カード４０の第一差込孔４３ａに駒部材５０を挿入して第一差込孔４３ａを閉状態にし（塞ぎ）、かつ第二差込孔４３ｂをそのままに保って開状態にする。これにより、材料２へ与える指示を指定カード４０に設けることができる。
【００１９】
その時、第一差込孔４３ａへ挿着された駒部材５０の頭部４１は配置溝４２内に配置され、そして挿入部５２は第一差込孔４３ａ内にすっぽりと収容されている。その状態で、指定カード４０の操作部４５を保持してパンチングユニット１０のカード挿入孔１２内に、スライド溝４６をレール２０に摺動させながら指定カード４０を挿着する。すると、第一パンチ１１ａの上面１１ａ′と駒部材５０の挿入部５２の底面５２ａとが接触する。これにより、指定カード４０の指示が第一パンチ１１ａに与えられる。
【００２０】
レシービングユニット３０のダイ３１の上部に材料２を載せ、パンチングユニット１０を材料２へ向けて下降させ（Ｄ方向へ移動し）、第一及び第二パンチ１１ａ，１１ｂの各下端１１ａ″，１１ｂ″が材料２の表面２ａに突き当たる。この時、ストッパ２２の下端２２ａが支柱３３の上端３３ａに突き当たっている。
【００２１】
更に下降を続けると、図８及び図９に示すように、ストリッパプレート１６が支柱３３の上端３３ａに押圧され、バネ部材１７の弾性に抗してガイド１５に沿って上昇する（Ｕ方向へ移動する）。それに伴って第一パンチ１１ａ及び第二パンチ１１ｂの下端１１ａ″，１１ｂ″が徐々に外部に露出し始める。即ち、第一パンチ１１ａ及び第二パンチ１１ｂがそれぞれ上方（Ｕ方向）又は下方（Ｄ方向）へ移動する。つまり、第一パンチ１１ａが駒部材５０に押圧されて材料２にパンチ孔３を開設し、開設後にダイ３１の第一逃げ孔３４ａから突出する。一方、第二パンチ１１ｂの下端１１ｂ″が材料２の表面２ａから上方（Ｕ方向）に押されるため、第二パンチ１１ｂの上端１１ｂ′が第二差込孔４３ｂ内に突き出る。それにより、第二パンチ１１ｂの下端１１ｂ″は材料２を突き破らない。
【００２２】
それから、第一パンチ１１ａによりパンチ孔３が材料２に開設されると、パンチングユニット１０が上昇する（Ｕ方向へ移動する）。上昇に伴ってストリッパプレート１６がバネ部材１７により下方（Ｄ方向）へ付勢され、第一パンチ１１ａ及び第二パンチ１１ｂの下端１１ａ″，１１ｂ″がそれぞれ当接プレート２１内へ収容される。図１の如くに、パンチングユニット１０が完全に上昇した後、パンチ孔３を形成した材料２がレシービングユニット３０のダイ３１から取り出される。このようにして、指定カード４０の指示に従って材料２にパンチ孔３を開けることができる。
【００２３】
その後に、カード挿入孔１２から指定カード４０を抜脱し、次の品番に対応する指定カード（図示せず）と交換する。以上を繰り返すことで、指定カード４０をワンタッチで交換し、それに伴って任意のパンチ孔パターンに対応するように装置１を容易に切り替えることができる。
【００２４】
上記の方法により、指定カード４０には全品番に対応するように予め多数の差込孔４３が形成かつ配置されているから、必要な差込孔４３に駒部材５０を挿入するだけで、容易に全ての品番に対応するパンチ孔３を開設する指示をパンチ１１に与えるができる。即ち、多種類のパンチ孔パターンに対応可能である。
【００２５】
また、指定カード４０はワンタッチでカード挿入孔１２に挿着することができるから、従来と比べ、材料２にパンチ孔３を開ける段取り作業を簡単にできると共に、段取り作業に要する時間も短縮できる。そのため、多種類のコネクタ部品に容易に対応することができる。それと共に、セット数が少ない品番の場合には該品番に対応する金型８５（図１１参照）をわざわざ成形する必要がなくなるので、材料２にパンチ孔３を開設する際の作業コストを低減することができる。
【００２６】
【発明の効果】
以上の如くに、請求項１によれば、多数のパンチを有するパンチングユニットにはカード挿入孔が形成され、カード挿入孔には指定カードが着脱自在に挿着される。そして、パンチングユニットが下降する際に、指定カードの指示に従う複数のパンチが材料にパンチ孔パターンを開設する。そのため、指定カードをカード挿入孔にワンタッチで挿着できるから、パンチ孔パターンを開設する段取り作業を簡単に行うことができる。また、指定カードに設けられた多数の差込孔が全品番に共通するように配置されているため、一つの指定カードがあれば、簡単に全品番のパンチ孔パターンに対応できる。
【００２８】
請求項２によれば、複数の駒部材が多数の差込孔のうち一部又は全部に挿入されるから、差込孔が駒部材により塞がれる。これにより、パンチングユニットの下降時に、パンチ孔を開設するパンチが駒部材により押圧されて材料にパンチ孔を開ける。一方、パンチ孔を開設しないパンチが材料によって押圧されて開状態の差込孔から突出する。このように、差込孔への駒部材の挿入又は未挿入によりパンチに対してパンチ孔を材料に開設するか否かの指示を与えることができる。
【００２９】
請求項１及び２によれば、一つの指定カードに形成された多数の差込孔に配置場所を換えて複数の駒部材を挿入すれば、簡単に任意のパンチ孔パターンに指定カードを対応させることができる。
【００３０】
請求項３によれば、配置溝の深さが駒部材の頭部の高さ略等しく、かつ差込孔に挿入される駒部材の挿入部の突出長さが差込孔の深さに略等しいので、差込孔に挿入された駒部材が指定カードからはみ出さない。そのため、指定カードを挿入孔に挿入する際に、駒部材が邪魔にならない。
【００３１】
請求項４によれば、パンチングユニットに形成されたカード挿入孔に指定カードを着脱自在に挿着し、パンチ孔を開設する材料をレシービングユニットに載せ、昇降自在なパンチングユニットを材料へ向けて上方から下降する。それに伴って、パンチングユニット内に設けられた多数のパンチのうち、指定カードに指示されたパンチのみを追従して下降させ、パンチ孔を開設する。このように、カード挿入孔への指定カードの挿着をワンタッチで行うことができるから、パンチ孔パターンを切り替える作業に要する時間を従来よりも短縮することができる。また、開設された差込孔に複数の駒部材を挿脱自在に挿入することでパンチを下降させるか否かが決定される。これにより、駒部材で塞がれた差込孔に対応するパンチが駒部材により押されて下降し、材料にパンチ孔が開設される。一方、駒部材で塞がれていない差込孔に対応するパンチは該差込孔から突出して下降しないため、材料にパンチ孔が開かない。
【図面の簡単な説明】
【図１】本発明に係るパンチ孔パターンのワンタッチ式切替装置の一実施例を示す図である。
【図２】図１のパンチングユニットへ指定カードを挿入する状態を示す斜視図である。
【図３】図１における指定カードを示し、（ａ）は左側面図であり、（ｂ）は平面図であり、（ｃ）は（ｂ）のＡ−Ａ線の断面図である。
【図４】図２におけるＢ−Ｂ線の断面図である。
【図５】図１における駒部材を拡大した斜視図である。
【図６】図１におけるパンチングユニットを下降してパンチの下面と材料の上面とを突き合わせた状態を示す図である。
【図７】図６の主要部分を拡大した断面図である。
【図８】図６において材料にパンチ孔を開設した状態を示す図である。
【図９】図８の主要部分を拡大した断面図である。
【図１０】従来例を示す斜視図である。
【図１１】他の従来例を示す斜視図である。
【符号の説明】
１              パンチ孔パターンのワンタッチ式切替装置
２              材料
３              パンチ孔
４              フレーム
１０            パンチングユニット
１１            パンチ
１２            カード挿入孔
３０            レシービングユニット
４０            （品番）指定カード
４１            カード本体
４２            配置溝
４２ａ          溝底壁
４３            差込孔
５０            駒部材
５１            頭部
５２            挿入部
【図１】
0003613437.tif 000002
【図２】
0003613437.tif 000003
【図３】
0003613437.tif 000004
【図４】
0003613437.tif 000005
【図５】
0003613437.tif 000006
【図６】
0003613437.tif 000007
【図７】
0003613437.tif 000008
【図８】
0003613437.tif 000009
【図９】
0003613437.tif 000010
【図１０】
0003613437.tif 000011
【図１１】
0003613437.tif 000012